(57)【特許請求の範囲】
【請求項１】
圧縮機本体に設けたガラスターミナルを囲むように固定されたブラケットと、電装品を覆って前記ブラケットに固定される電装品カバーとを備え、背面から前記ブラケットに向かって延出した突起を備え、前記突起の先端は前記背面側へ窪んだ凹部を備え、突起の先端の外周部を円周方向に展開した輪郭は波形曲線であり、波形曲線の電源コード側の頂点部は電源コードの線径よりも大きい曲率で形成され、波形曲線の反電源コード側の谷部は電源コードの線径よりも小さい曲率で形成された電装品保護装置。
【請求項２】
突起の先端の波形曲線は、２つの頂点部と２つの谷部を備えた請求項１に記載の電装品保護装置。
【請求項３】
突起は中空の円筒形状である請求項１から２のいずれか一項に記載の電装品保護装置。
【請求項４】
圧縮機本体に設けたガラスターミナルを囲むように固定されたブラケットと、電装品を覆って前記ブラケットに固定される電装品カバーとを備え、電装品カバーはブラケットに対向する側に開口部を有するとともに、底部に前記電装品の電源コードを引き出すための導出部を前記開口部近傍に備え、前記電装品カバーの反ブラケット側の背面は、一部が反ブラケット側に突出した突出部を備えるとともに、前記突出部の内部に過負荷保護装置を収容し、前記突出部の先端近傍から前記導出部に向かう傾斜面を備え、突出部は電装品カバーの開口部側に向かって重力方向下方に僅かに傾斜した電装品保護装置。
【発明の詳細な説明】
【技術分野】
【０００１】
本発明は、冷凍冷蔵装置等に使用される圧縮機の電装品保護装置に関するものである。
【背景技術】
【０００２】
従来、この種の電装品保護装置はワンタッチ挿入の作業にて固定できるものがある（例えば、特許文献１参照）。
【０００３】
以下、図面を参照しながら上記従来の電装品保護装置を説明する。
【０００４】
図１０は特許文献１に記載された従来の電装品保護装置の分解斜視図、図１１は電装品保護装置の取り付け状態の拡大断面図である。
【０００５】
図１０および図１１において、電動要素（図示せず）を収容した圧縮機本体１０には、電動要素に電気を供給するためのガラスターミナル１５が取り付けられており、さらに、冷間圧延鋼板や熱間圧延鋼板などの鉄板の折曲成形によって形成されたブラケット２０が、ガラスターミナル１５を囲むように圧縮機本体１０の外表面に固着されている。
【０００６】
電装品１７は、始動リレー１７ａと過負荷保護装置１７ｂとで構成されており、電装品カバー５０は電装品１７を覆うようにブラケット２０に固定されている。
【０００７】
電装品１７にはそれぞれ電源コード８０，８２が取り付けられており外部電源（図示せず）に接続される。
【０００８】
電装品カバー５０はポリプロピレンやポリカーボネート等の合成樹脂材料により射出成形され、ブラケット２０に設けられた係止孔４５に対応する位置には、係止孔４５に係合するテーパ状の爪部７０を形成している。
【０００９】
電装品カバー５０はブラケット２０側の反対側の内面にガラスターミナル１５側に向かって突起５５を備えるとともに、電装品１７ａ，１７ｂを介して圧縮機本体１０の電動要素に通電するための電源コード８０，８２を電装品カバー５０とブラケット２０の間から外側へ引出すための導出部４１が、電装品カバー５０の底面側に形成されている。
【００１０】
以上のように構成された電装品保護装置について、以下その組み立て動作を説明する。
【００１１】
ガラスターミナル１５に電装品１７が挿入固定される。この電装品１７を覆うための電装品カバー５０をブラケット２０に挿入する際に、電装品カバー５０に備えたテーパ状の爪部７０がブラケット２０の係止孔４５に係止され、電装品カバー５０はワンタッチでブラケット２０に固定される。
【００１２】
このとき、電装品カバー５０のブラケット２０の反対側の内面にガラスターミナル１５側へ延出した突起５５を備えているため、電装品１７の始動リレー１７ａをガラスターミナル１５に挿入する挿入量が不足したときにおいても、始動リレー１７ａが落下しようとしても突起５５が障害となるため、電装品カバー５０内に始動リレー１７ａが落下することはない。
【特許文献１】特開平１０−３１８１４２号公報
【発明の開示】
【発明が解決しようとする課題】
【００１３】
しかしながら、上記従来の構成では、始動リレー１７ａと電装品カバー５０の反ブラケット２０側内面に延出した突起５５との間に電源コード８０，８２が配置された場合、始動リレー１７ａと突起５５の間の空間が電源コード８０，８２の線径より小さくなったときに、始動リレー１７ａと突起５５の間に電源コード８０，８２の挟み込みが生じ、電源コード８０，８２を傷つけてしまう可能性があった。
【００１４】
また、電装品カバー５０の背面は略平面形状のためターミナル方向に強い衝撃力が加わると衝撃力の逃げ場がないので電装品カバー５０の割れなどを生じる可能性があった。
【００１５】
本発明は、上記従来の課題を解決するもので、電源コードの傷付を防止し、安全性の高い電装品保護装置を提供することを目的とする。
【００１６】
また、本発明は、上記従来の課題を解決するもので、電装品カバー外部からの衝撃力を分散させることで安全性の高い電装品保護装置を提供することを目的とする。
【課題を解決するための手段】
【００１７】
上記従来の課題を解決するために、本発明の圧縮機の電装品保護装置は、電装品カバーはブラケットに対向する側が開口するとともに、内部に背面からブラケットに向かって延出した突起を備え、突起の先端は背面側へ窪んだ凹部を備えたもので、電源コードが電装品と突起の間に配置された場合にも、電源コードが凹部へ逃げることで電源コードの傷つきを防止できるので、安全性の高い電装品保護装置を提供することができる。
【００１８】
また、本発明の圧縮機の電装品保護装置は、電装品カバーの底部に電装品の電源コードを引き出すための導出部を開口部近傍に備え、電装品カバーの反ブラケット側の背面は、一部が反ブラケット側に突出した突出部を備えるとともに、突出部の内部に過負荷保護装置を収容し、突出部の先端近傍から導出部に向かう傾斜面を備えたもので、過負荷保護装置の反ターミナル側に空間が確保できるので過負荷保護装置にタブ端子を用いた配線を行うことができるとともに、電装品カバーの内面に沿って導出部へ電源コードが導かれるために導出部側へ電源コードを引き回しやすいとともに外部からターミナル方向に強い衝撃力が加わった場合にも傾斜面により反突出部側へ衝撃を分散させることができるため、電装品カバーが割れる可能性が極めて低いので作業性がよく、安全性の高い電装品保護装置を提供することができる。
【発明の効果】
【００１９】
本発明の圧縮機の電装品保護装置は、電源コードの挟み込みを防止するとともに、電源コード配設時の作業性が向上することができ、作業性がよく安全性の高い電装品保護装置を提供することを目的とする。
【発明を実施するための最良の形態】
【００２０】
請求項１に記載の発明は、圧縮機本体に設けたガラスターミナルを囲むように固定されたブラケットと、電装品を覆って前記ブラケットに固定される電装品カバーとを備え、電装品カバーはブラケットに対向する側に開口部を有するとともに、底部に前記電装品の電源コードを引き出すための導出部を前記開口部近傍に備え、前記電装品カバーの反ブラケ
ット側の背面は、一部が反ブラケット側に突出した突出部を備えるとともに、前記突出部の内部に過負荷保護装置を収容し、前記突出部の先端近傍から前記導出部に向かう傾斜面を備え、突出部は電装品カバーの開口部側に向かって重力方向下方に僅かに傾斜したもので、電源コードが電装品と突起の間に配置された場合にも、電源コードが凹部側へ逃げることで電源コードの傷つきを防止することができるので安全性の高い電装品保護装置を提供することができる。
また、電源コードが電装品と突起の間に配置された場合に、突起先端の頂点部に電源コードが押し付けられた場合にも頂点部から谷部へと逃がすことができるため電源コードの電装品と突起の間の挟み込みを防止できるので、さらに電源コードが傷つくことがないため安全性の高い電装品保護装置を提供することができる。
【００２２】
請求項２に記載の発明は、請求項１に記載の発明において、突起の先端の波形曲線は、２つの頂点部と２つの谷部を備えたもので、電源コードが電装品と突起の間に配置された場合にも突起の頂点を境に両側に電源コードが逃げることができるため、請求項２に記載の発明の効果に加えて、さらに電源コードが傷つくことがないので、安全性の高い電装品保護装置を提供することができる。
【００２３】
請求項３に記載の発明は、請求項１から２のいずれか一項に記載の発明において、突起は中空の円筒形状であるので、突起強度の向上を図るために突起の径を大きくした場合にも、樹脂成型時の引けを防止するとともに材料費を削減することができるので、請求項１から３のいずれか一項に記載の発明の効果に加えて、突起が折れにくくなり、安価で安全性の高い電装品保護装置を提供することができる。
【００２４】
請求項４に記載の発明は、圧縮機本体に設けたガラスターミナルを囲むように固定されたブラケットと、電装品を覆って前記ブラケットに固定される電装品カバーとを備え、電装品カバーはブラケットに対向する側に開口部を有するとともに、底部に前記電装品の電源コードを引き出すための導出部を前記開口部近傍に備え、前記電装品カバーの反ブラケット側の背面は、一部が反ブラケット側に突出した突出部を備えるとともに、前記突出部の内部に過負荷保護装置を収容し、前記突出部の先端近傍から前記導出部に向かう傾斜面を備え、突出部は電装品カバーの開口部側に向かって重力方向下方に僅かに傾斜したことで、過負荷保護装置の反ターミナル側の空間が確保できるので、過負荷保護装置にタブ端
子を用いた配線を行うことができるとともに、電装品カバーの内面に沿って導出部へ電源コードが導かれるために導出部側へ電源コードを引き回しやすいとともに外部からターミナル方向に強い衝撃力が加わった場合にも傾斜面により反突起側へ衝撃を分散させることができるため、電装品カバーが割れる危険性がないので作業性がよく、安全性の高い電装品保護装置を提供することができる。
また、電装品カバー内と外気温の差が著しく生じた際に突出部内が結露した場合においても、電装品カバー底部へ流れ落ちるため請求項５に記載の発明の効果に加えて、過負荷保護装置の端子付近に水溜まりが生じることがないので、安全性が高い電装品保護装置を提供できる。
【００２６】
以下、本発明の実施の形態について、図面を参照しながら説明する。なお、この実施の形態によってこの発明が限定されるものではなく、さらに、各実施の形態を組み合わせて実施することも可能である。
【００２７】
（実施の形態１）
図１は、本発明の実施の形態１における電装品保護装置の分解斜視図、図２は電装品カバーの内面斜視図、図３は電装品保護装置の取り付け状態の拡大断面図、図４は突起の拡大図、図５は突起先端外周部の円周方向展開図である。
【００２８】
図１から図５において、圧縮要素（図示せず）を収納した圧縮機本体１１０には、電動圧縮要素（図示せず）に電気を供給するガラスターミナル１１５が取り付けられており、ガラスターミナル１１５には圧縮要素に通電させる電装品１７０が接続されている。
【００２９】
冷間圧延鋼板や熱間圧延鋼板などの鉄板の折曲成形によって形成されたブラケット１２０がガラスターミナル１１５を囲むように圧縮機本体１１０に固着され、ブラケット１２０には電装品１７０を覆うようにポリプロピレンやポリカーボネート等の合成樹脂材料により射出成形された電装品カバー１５０が固定される。
【００３０】
電装品カバー１５０内には過負荷保護装置１７２が収納されており、電装品１７０と過負荷保護装置１７２にはそれぞれ電源コード１８０，１８２が取り付けられており外部電源（図示せず）に接続される。
【００３１】
電装品カバー１５０はブラケット１２０に対向する側が開口部１３０を有しており、内部には、背面１４０からブラケット１２０に向かって延出し、中空の円筒形状である突起１５５を備えており、突起１５５の先端には背面１４０側へ窪んだ凹部１６０を設けている。
【００３２】
突起１５５の先端の外周部を円周方向に展開した輪郭は波形曲線であり、波形曲線の電源コード１８０，１８２側の頂点部１６１は、電源コード１８０，１８２の線径よりも大きい曲率で形成され、波形曲線の反電源コード１８０，１８２側の谷部１６２は電源コード１８０，１８２の線径よりも小さい曲率で形成されている。
【００３３】
突起１５５の波形曲線は、２つの頂点部１６１ａ，１６１ｂと２つの谷部１６２ａ，１６２ｂを備えている。
【００３４】
以上のように構成された電装品保護装置について、以下その組み立て動作を説明する。
【００３５】
ガラスターミナル１１５に電装品１７０が挿入固定される。この電装品１７０を覆うための電装品カバー１５０はブラケット１２０に係止固定される。
【００３６】
電装品カバー１５０がブラケット１２０に固定された状態では、電装品１７０および過負荷保護装置１７２に取り付けられた電源コード１８０，１８２は図３に示すように配設される。
【００３７】
電装品カバー１５０をブラケット１２０に挿入する時には、通常、電源コード１８０，１８２は突起１５５を避けるように配線されるが、電源コード１８２の位置は固定されておらず、電源コード１８０，１８２が突起１５５と電装品１７０との間に配置された状態で取り付けられた場合に、電源コード１８０，１８２の線径より突起１５５と電装品１７０の間の空間が狭くなったときに電源コード１８０，１８２が突起１５５と電装品１７０との間に挟み込まれる。
【００３８】
しかしながら、本実施の形態１においては、突起１５５の先端に背面１４０側へ窪んだ凹部１６０が設けられ、突起１５５の外周部を円周方向に展開した輪郭が図５に示すような波形曲線となる形状となっているので、突起１５５と電装品１７０の間の空間が電源コード１８０，１８２の線径より狭くなり、電装品１７０と突起１５５の頂点部１６１ａ，１６１ｂとが近接した際には、谷部１６２ａ，１６２ｂまたは突起１５５の外側へ電源コード１８０，１８２が逃げるため、挟み込みが発生しない。
【００３９】
そのため、電源コード１８０，１８２は傷つきを生じないので安全性の高い電装品保護装置を提供できる。
【００４０】
また、突起１５５は中空の円筒形状をしているので、肉厚が集中する箇所を少なくし、樹脂成型時の引けなどを防止するとともに材料費の削減が可能となり、さらに、突起１５５の直径を大きくすることができるので、電源コード１８０，１８２に押されて突起１５５が折れる可能性を小さくすることができるため、さらに安価で安全性の高い電装品保護装置を提供できる。
【００４１】
（実施の形態２）
図６は、本発明の実施の形態２における電装品保護装置の分解斜視図、図７は電装品カバーの内面斜視図、図８は電装品カバーの背面斜視図、図９は電装品保護装置の取り付け状態の拡大断面図である。
【００４２】
図６から図９において、圧縮要素（図示せず）を収納した圧縮機本体２１０には、電動圧縮要素（図示せず）に電気を供給するガラスターミナル２１５が取り付けられており、ガラスターミナル２１５には圧縮要素に通電させる電装品２７０が接続されている。
【００４３】
冷間圧延鋼板や熱間圧延鋼板などの鉄板の折曲成形によって形成されたブラケット２２０がガラスターミナル２１５を囲むように圧縮機本体２１０に固着され、ブラケット２２０には電装品２７０を覆うようにポリプロピレンやポリカーボネート等の合成樹脂材料により射出成形された電装品カバー２５０が固定される。
【００４４】
電装品カバー２５０内には過負荷保護装置２７２が収納されており、電装品２７０と過負荷保護装置２７２にはそれぞれ電源コード２８０，２８２が取り付けられており外部電源（図示せず）に接続される。
【００４５】
電装品カバー２５０はブラケット２２０に対向する側が開口部２３０を有しており、底部２５２には、電源コード２８０，２８２を外部へ引き出すための導出部２５４を開口部２３０近傍に備えている。
【００４６】
また電装品カバー２５０のブラケット２２０の反対側の背面２４０は、一部がブラケット２２０の反対側に突出した突出部２６５を備えており、突出部２６５の先端近傍から導出部２５４に向かって傾斜面２９０を備えている。
【００４７】
突出部２６５の内部には過負荷保護装置２７２が収容されている。
【００４８】
また突出部２６５のブラケット２２０側の内面は、電装品カバー２５０の開口部２３０側に向かって重力方向下方に僅かに傾斜している。
【００４９】
以上のように構成された電装品保護装置について、以下その組み立て動作を説明する。
【００５０】
ガラスターミナル２１５に電装品２７０が挿入固定される。この電装品２７０を覆うための電装品カバー２５０はブラケット２２０に係止固定される。
【００５１】
このとき電装品カバー２５０の背面２４０の一部がブラケット２２０の反対側へ突出した突出部２６５を備えているので、過負荷保護装置２７２と突出部２６５先端側内面との間に十分な空間が確保できるため、過負荷保護装置２７２に電源コード２８２を配線する際に、タブ端子２９５を採用することができるので、過負荷保護装置２７２の端子部と電源コード２８２を溶接する必要がなく、工数が減り、作業性が向上する。
【００５２】
また電装品カバー２５０がブラケット２２０に固定された状態では、電装品２７０および過負荷保護装置２７２に取り付けられた電源コード２８０，２８２は図９に示すように配設される。
【００５３】
電装品カバー２５０をブラケット２２０に挿入する時には、電源コード２８２の位置は固定されておらず、突出部２６５内部で屈折などにより電源コード２８２に余計な力が生じ、配線時に電源コード２８２を傷つけてしまう可能性があるが、電装品カバー２５０の背面２４０の突出部２６５の先端近傍から導出部２５４に向かう傾斜面２９０を備えていることで、電装品カバー２５０の背面２４０側の内面である傾斜面２９０に沿って電源コード２８２が導出部２５４に導かれるため、電源コード２８２を無理なく導出部２５４から外部へ配線することができ、電源コード２８２の信頼性を損なうことなく作業性が向上する。
【００５４】
また、電装品カバー２５０の背面２４０に傾斜面２９０を備えていることで、電装品カバー２５０の外部からガラスターミナル２１５の方向に強い衝撃が発生した場合にも、傾斜面２９０の傾斜により衝撃が分散されるので、電装品カバー２５０が割れるのを防止できる効果がある。
【００５５】
また、電装品カバー２５０内と外気温の差が著しく生じた際などにおいて、突出部２６５内に万一結露が発生した場合においても、突出部２６５内部の僅かな傾斜により、電装品カバー２５０の底部２５２から開口部２３０側に向かって流れて排出されるため、過負荷保護装置２７２のタブ端子２９５付近に水溜まりが生じることがないので、安全性が高い電装品保護装置を提供できる。
【００５６】
なお、本実施の形態２において、タブ端子２９５にて説明したが、他の形状の端子であっても同様に実施可能である。
【産業上の利用可能性】
【００５７】
以上のように、本発明にかかる圧縮機の電装品保護装置は、電源コードの傷つきを防止するとともに、電源コード配線時の作業性が向上するので、生産性及び安全性の高い圧縮機の電装品保護装置を提供出来るので、冷蔵庫、エアーコンディショナー、冷凍冷蔵装置等のあらゆる圧縮機の電装品保護装置に適用できる。
【図面の簡単な説明】
【００５８】
【図１】本発明の実施の形態１における電装品保護装置の分解斜視図
【図２】同実施の形態における電装品カバーの内面斜視図
【図３】同実施の形態における電装品保護装置の取り付け状態の拡大断面図
【図４】同実施の形態における突起の拡大図
【図５】同実施の形態における突起先端外周部の円周方向展開図
【図６】本発明の実施の形態２における電装品保護装置の分解斜視図
【図７】同実施の形態における電装品カバーの内面斜視図
【図８】同実施の形態における電装品カバーの背面斜視図
【図９】同実施の形態における電装品保護装置の取り付け状態の拡大断面図
【図１０】従来の電装品保護装置における分解斜視図
【図１１】従来の電装品保護装置における取り付け状態の拡大断面図
【符号の説明】
【００５９】
１１０，２１０  圧縮機本体
１１５，２１５  ガラスターミナル
１２０，２２０  ブラケット
１４０，２４０  背面
１５０，２５０  電装品カバー
１５５  突起
１６０  凹部
１６１ａ，１６１ｂ  頂点部
１６２ａ，１６２ｂ  谷部
１７０，２７０  電装品
１８０，１８２，２８０，２８２  電源コード
２３０  開口部
２５２  底部
２５４  導出部
２６５  突出部
２７２  過負荷保護装置
２９０  傾斜面
【図１】
0005176666.tif 000002
【図２】
0005176666.tif 000003
【図３】
0005176666.tif 000004
【図４】
0005176666.tif 000005
【図５】
0005176666.tif 000006
【図６】
0005176666.tif 000007
【図７】
0005176666.tif 000008
【図８】
0005176666.tif 000009
【図９】
0005176666.tif 000010
【図１０】
0005176666.tif 000011
【図１１】
0005176666.tif 000012